【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  シート状の中空糸膜の両端に膜固定部材を備えてなる複数の中空糸膜モジュールを概して平行に並べて中空糸膜モジュール部とし、該中空糸膜モジュール部を挟むように前記中空糸膜モジュールに平行な一対の剛性を有する遮蔽壁を設け、これら遮蔽壁は、棒形状を有する１本以上の棒状構造体によって固定されていることを特徴とする中空糸膜モジュールユニット。
【請求項２】  請求項１記載の中空糸膜モジュールユニットにおいて、
前記棒状構造体は、前記一対の遮蔽壁を貫通した状態でこれらの遮蔽壁を固定していることを特徴とする中空糸膜モジュールユニット。
【請求項３】  請求項１または２記載の中空糸膜モジュールユニットにおいて、
前記遮蔽壁間には、鉛直面の側壁を形成するシート状部材が設けられていることを特徴とする中空糸膜モジュールユニット。
【請求項４】  請求項１から３のいずれかに記載の中空糸膜モジュールユニットにおいて、
前記各膜固定部材は、前記棒状構造体に固定されていることを特徴とする中空糸膜モジュールユニット。
【請求項５】  請求項１から４のいずれかに記載の中空糸膜モジュールユニットにおいて、
前記棒状構造体が、前記各中空糸膜モジュールからの濾液を集める濾液集水管を兼ねていることを特徴とする中空糸膜モジュールユニット。
【請求項６】  請求項１から５のいずれかに記載の中空糸膜モジュールユニットにおいて、
前記棒状構造体は、中空構造とされていることを特徴とする中空糸膜モジュールユニット。
【請求項７】  請求項１から６のいずれかに記載の中空糸膜モジュールユニットにおいて、
前記各中空糸膜モジュールは、中空糸膜を緯糸とする編織物からなる中空糸をその端部の開口が保たれた状態で合成樹脂により固定されてなり、該合成樹脂の前記中空糸膜に垂直な断面の形状がほぼ矩形とされ、前記合成樹脂が棒状構造体の開口部に取り付けられてなることを特徴とする中空糸膜モジュールユニット。
【手続補正２】
【補正対象書類名】明細書
【補正対象項目名】０００９
【補正方法】変更
【補正の内容】
【０００９】
【課題を解決するための手段】
本発明の中空糸膜モジュールユニットは、上記課題を解決するために以下の手段を採用した。
すなわち請求項１記載の中空糸膜モジュールユニットは、シート状の中空糸膜の両端に膜固定部材を備えてなる複数の中空糸膜モジュールを概して平行に並べて中空糸膜モジュール部とし、該中空糸膜モジュール部を挟むように前記中空糸膜モジュールに平行な一対の剛性を有する遮蔽壁を設け、これら遮蔽壁は、棒形状を有する１本以上の棒状構造体によって固定されていることを特徴とする。
上記請求項１記載の中空糸膜モジュールユニットによれば、一対の遮蔽壁は、棒状構造体で固定されているので、同様の壁面形状部材を用いて、ユニットとしての強度を発揮させる場合と比較して軽量化することができる。
【手続補正３】
【補正対象書類名】明細書
【補正対象項目名】００１０
【補正方法】変更
【補正の内容】
【００１０】
請求項２記載の中空糸膜モジュールユニットは、請求項１記載の中空糸膜モジュールユニットにおいて、前記棒形状構造体が、前記一対の遮蔽壁を貫通した状態でこれらの遮蔽壁を固定していることを特徴とする。
上記請求項２記載の中空糸膜モジュールユニットによれば、加工が容易であり、かつ固定強度の高い固定方法となる。
【手続補正４】
【補正対象書類名】明細書
【補正対象項目名】００１１
【補正方法】変更
【補正の内容】
【００１１】
請求項３記載の中空糸膜モジュールユニットは、請求項１または２記載の中空糸膜モジュールユニットにおいて、前記遮蔽壁間には、鉛直面の側壁を形成するシート状部材が設けられていることを特徴とする。
上記請求項３記載の中空糸膜モジュールユニットによれば、シート状部材を設けることで、軽量化を保ったまま、遮蔽壁間の側部を完全に遮蔽できる。
【手続補正５】
【補正対象書類名】明細書
【補正対象項目名】００１４
【補正方法】変更
【補正の内容】
【００１４】
本発明の中空糸膜モジュールユニットは、前記各遮蔽壁の材質として、合成樹脂を採用することによって、その加工を容易とし、かつ安価で軽量な遮蔽壁とすることができる。
【手続補正６】
【補正対象書類名】明細書
【補正対象項目名】００１５
【補正方法】変更
【補正の内容】
【００１５】
請求項６記載の中空糸膜モジュールユニットは、請求項１から５のいずれかに記載の中空糸膜モジュールユニットにおいて、前記棒状構造体が、中空構造とされていることを特徴とする。
上記請求項６記載の中空糸膜モジュールユニットによれば、中空構造とすることで、さらに軽量化することができる。
【手続補正７】
【補正対象書類名】明細書
【補正対象項目名】００１６
【補正方法】変更
【補正の内容】
【００１６】
本発明の中空糸膜モジュールユニットは、前記中空糸膜の素材として、強伸度の高いポリオレフィン系の素材を採用することによって、この中空糸膜をシート状に加工することが容易となる。
【手続補正８】
【補正対象書類名】明細書
【補正対象項目名】００１７
【補正方法】変更
【補正の内容】
【００１７】
請求項７記載の中空糸膜モジュールユニットは、請求項１から６のいずれかに記載の中空糸膜モジュールユニットにおいて、前記各膜モジュールが、中空糸膜を緯糸とする編織物からなる中空糸をその端部の開口が保たれた状態で合成樹脂により固定されてなり、該合成樹脂の前記中空糸膜に垂直な断面の形状がほぼ矩形とされ、前記合成樹脂が棒状構造体の開口部に取り付けられてなることを特徴とする。
上記請求項７記載の中空糸膜モジュールユニットによれば、中空糸膜が汚泥等により集束固着一体化し難く、散気装置によるスクラビングを効果的に実施することができる。
【手続補正９】
【補正対象書類名】明細書
【補正対象項目名】００２６
【補正方法】変更
【補正の内容】
【００２６】
各遮蔽壁７間には、これらに平行な各中空糸膜モジュール５が配置された構成となっているが、各中空糸膜モジュール５の各膜固定部材４が、各遮蔽壁７間に鉛直面の側壁を形成する図示されない更なる遮蔽壁を設けたと同様の機能を果たすため、スクラビングエアーの外側への逃げは最小限となるので、更なる遮蔽壁を設けなくともよい。
【手続補正１０】
【補正対象書類名】明細書
【補正対象項目名】００２８
【補正方法】変更
【補正の内容】
【００２８】
棒状構造体８と各遮蔽壁７とが交差する方向である側部を完全に遮蔽したい場合には、各遮蔽壁７と交差するように、鉛直面を形成する図示されない更なる一対の遮蔽壁を設けることができる。この場合、本発明における軽量化のメリットを活かし、かつコストダウンをはかるためには、更なる遮蔽壁として、シート状部材を用いることが好ましい。この場合、このシート状部材の厚さとしては、使用中に破断しない程度の強伸度を有する必要があることから、下限としては０．５ｍｍ以上が好ましく、１ｍｍ以上とすることがより好ましい。また、加工時の簡便性と軽量性を考慮すると、上限としては５ｍｍ以下とすることが好ましく、３ｍｍ以下とすることが更に好ましい。また、前記シート状部材の材質としては、被処理液に対し浸食されず、使用中に破断しない程度の強伸度を有するものであれば特に限定されるものではないが、ポリエチレン、ポリプロピレン、ポリエチレンテレフタート、ポリ塩化ビニル、ポリ塩化ビニリデン等の素材からなる合成樹脂が好ましい。
【手続補正１１】
【補正対象書類名】明細書
【補正対象項目名】００３２
【補正方法】変更
【補正の内容】
【００３２】
【発明の効果】
本発明の請求項１記載の中空糸膜モジュールユニットによれば、前記一対の遮蔽壁は、前記棒状構造体で固定されているので、同様の壁面形状部材を用いて、ユニットとしての強度を発揮させる場合と比較して軽量化されている。これらにより、組立作業が容易であり、かつ強度的に優れていると同時に軽量、低コストで使用時の取扱性に優れた中空糸膜モジュールユニットを提供することが可能となる。
【手続補正１２】
【補正対象書類名】明細書
【補正対象項目名】００３３
【補正方法】変更
【補正の内容】
【００３３】
また、請求項２記載の中空糸膜モジュールユニットによれば、前記棒形状構造
体と前記一対の遮蔽壁との固定方法は、前記棒状構造体がこれらの遮蔽壁を貫通する固定方法とすることで、加工が容易で、かつ固定強度の高い固定方法とすることが可能となる。
【手続補正１３】
【補正対象書類名】明細書
【補正対象項目名】００３４
【補正方法】変更
【補正の内容】
【００３４】
また、請求項３記載の中空糸膜モジュールユニットによれば、これらの遮蔽壁間に、側壁を形成するシート状部材を設ける構成とすることで、軽量化を保ったまま、前記各遮蔽壁間の側部を完全に遮蔽することが可能となる。
【手続補正１４】
【補正対象書類名】明細書
【補正対象項目名】００３７
【補正方法】変更
【補正の内容】
【００３７】
また、本発明の中空糸膜モジュールユニットによれば、前記の遮蔽壁を、合成樹脂製とすることで、その加工を容易とし、かつ安価で軽量とすることが可能となる。
【手続補正１５】
【補正対象書類名】明細書
【補正対象項目名】００３８
【補正方法】変更
【補正の内容】
【００３８】
また、請求項６記載の中空糸膜モジュールユニットによれば、前記棒状構造体を中空構造とすることで、さらに軽量化することが可能となる。
【手続補正１６】
【補正対象書類名】明細書
【補正対象項目名】００３９
【補正方法】変更
【補正の内容】
【００３９】
また、本発明の中空糸膜モジュールユニットによれば、前記中空糸膜として強伸度の高いポリオレフィン系の素材を採用することで、シート状に加工することが容易となる。
【手続補正１７】
【補正対象書類名】明細書
【補正対象項目名】００４０
【補正方法】変更
【補正の内容】
【００４０】
また、請求項７記載の中空糸膜モジュールユニットによれば、前記各中空糸膜モジュールが、前記中空糸膜を緯糸とする編織物からなる中空糸をその端部の開口が保たれた状態で合成樹脂により固定されてなり、該合成樹脂の前記中空糸膜に垂直な断面の形状がほぼ矩形とされ、前記合成樹脂が棒状構造体の開口部に取り付けられてなる構成とすることで、前記中空糸膜が汚泥等により集束固着一体化し難くなり、散気装置によるスクラビングを効果的に行うことが可能となる。